(57)【特許請求の範囲】
【請求項１】
運用系通信装置及び待機系通信装置を少なくとも１つずつ有する冗長通信装置と、前記冗長通信装置とネットワークを介して接続される管理装置とを備える通信システムにおいて、
前記管理装置は、
前記運用系通信装置及び待機系通信装置の各々に対して、前記運用系通信装置若しくは前記待機系通信装置の電源を制御するための第１の電源制御パケット並びに前記運用系通信装置及び待機系通信装置の両方の電源を制御するための第２の電源制御パケットを送信可能であり、
前記第１の電源制御パケット又は前記第２の電源制御パケットのいずれかの電源制御パケットを送信する電源制御パケット送信部を有し、
前記運用系通信装置及び待機系通信装置の各々は、
前記電源制御パケットを受信する電源制御パケット受信部と、
前記電源制御パケットを解析する電源制御パケット解析部と、
前記電源制御パケット解析部により解析された前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御する電源制御部とを有する
ことを特徴とする通信システム。
【請求項２】
前記電源制御パケット解析部は、前記電源制御パケット受信部により受信された電源制御パケットが所定の条件に合致するか否か判定し、
前記電源制御部は、前記条件に合致する場合のみ、前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御する
ことを特徴とする請求項１に記載の通信システム。
【請求項３】
前記電源制御パケット送信部は、所定時間内に連続してＮ（Ｎは２以上の正の整数）個前記電源制御パケットを送信し、
前記条件は、前記電源制御パケット受信部が所定時間内に連続してＭ（ＭはＮ以下の正の整数）個前記電源制御パケットを受信した
ことを特徴とする請求項２に記載の通信システム。
【請求項４】
運用系通信装置及び待機系通信装置を少なくとも１つずつ有する冗長通信装置において、
前記運用系通信装置及び待機系通信装置の各々は、
前記運用系通信装置若しくは前記待機系通信装置の電源を制御するための第１の電源制御パケット並びに前記運用系通信装置及び待機系通信装置の両方の電源を制御するための第２の電源制御パケットを受信可能であり、
外部装置から送信された前記第１の電源制御パケット又は前記第２の電源制御パケットのいずれかの電源制御パケットを受信する電源制御パケット受信部と、
前記電源制御パケットを解析する電源制御パケット解析部と、
前記電源制御パケット解析部により解析された前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御する電源制御部とを有する
ことを特徴とする冗長通信装置。
【請求項５】
運用系通信装置及び待機系通信装置を少なくとも１つずつ有する冗長通信装置と、前記冗長通信装置とネットワークを介して接続される管理装置とを制御する通信制御方法において、
前記管理装置の電源制御パケット送信部は、前記運用系通信装置及び待機系通信装置の各々に対して、前記運用系通信装置若しくは前記待機系通信装置の電源を制御するための第１の電源制御パケット並びに前記運用系通信装置及び待機系通信装置の両方の電源を制御するための第２の電源制御パケットを送信可能であり、前記第１の電源制御パケット又は前記第２の電源制御パケットのいずれかの電源制御パケットを送信し、
前記運用系通信装置及び待機系通信装置の各々の、
電源制御パケット受信部は、前記電源制御パケットを受信し、
電源制御パケット解析部は、前記電源制御パケットを解析し、
電源制御部は、記電源制御パケット解析部により解析された前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御する
ことを特徴とする通信制御方法。
【発明の詳細な説明】
【技術分野】
【０００１】
本発明は、通信システム、冗長通信装置、及び通信制御方法に関し、例えば、２重化冗長構成（運用系（ＡＣＴ系）／待機系（ＳＢＹ系））のＩＰ交換機を有するＩＰ交換装置の電源制御に適用し得るものである。
【背景技術】
【０００２】
従来、加入者端末（電話端末）と接続（収容）して、ＩＰネットワークに接続するＩＰ交換機は、一般的に２重化以上の冗長構成となっている。以下では、２重化されたＩＰ交換装置の運用系（アクティブ系）を「ＡＣＴ系」、待機系（スタンバイ系）を「ＳＢＹ系」とも呼ぶものとする。従来の冗長化ＩＰ交換装置としては、例えば特許文献１の記載技術がある。
【０００３】
また、従来の冗長構成のＩＰ交換機では、一般的に、ＩＰネットワーク上の管理装置により、多数のＩＰ交換機の保守・監視を行う。ＩＰ交換機の管理装置としては、例えば、エレメントマネジメントシステム（以下、「ＥＭＳ」と略称する）や、オペレーションシステム（以下、「ＯｐＳ」と略称する）と呼ばれる装置がある。
【０００４】
ところで、冗長構成のＩＰ交換装置では、ＡＣＴ系のＩＰ交換機に障害が発生した場合に、ＳＢＹ系のＩＰ交換機をＡＣＴ系とし、障害が発生したＩＰ交換機をＳＢＹ系とする切り替え処理が行われる。しかし、障害が発生したＩＰ交換機は、ソフトウェア停止状態（フリーズ）により、系の切り替えが行われず、また、リセットによる復旧ができないような状態になることもある。このような場合には、ＩＰ交換機の電源をＯＦＦ／ＯＮすることにより復旧を図るのが有効な手段である。
【０００５】
一般的に、管理装置とＩＰ交換機とは別拠点に存在しているが、ＩＰ交換機の設置場所には、管理装置の設置場所のように、保守管理者が待機しているとは限らない。つまり、障害が発生したＩＰ交換機の電源ＯＦＦ／ＯＮによる迅速な復旧ができない問題がある。ここで、管理装置から遠隔的にＩＰ交換機の電源をＯＦＦ／ＯＮすることにより、上記の問題を解決する技術が従来から存在する（特許文献２参照）。
【先行技術文献】
【特許文献】
【０００６】
【特許文献１】特開２００７−１８９３２１号公報
【特許文献２】特開平４−１６７７３４号公報
【発明の概要】
【発明が解決しようとする課題】
【０００７】
しかしながら、特許文献２に記載の技術は、省電力を図り、小規模システムにも適用することを主目的とした技術であって、冗長構成の装置に適用することを目的とした技術ではない。例えば、仮に特許文献２に記載の技術を冗長構成の装置（２重化されたＩＰ交換装置）に適用したとしても、２台分のＩＰ交換装置を各々別々に遠隔電源制御するだけでしかなく、被制御対象の電源を効率的に制御できるとは言い難い。
【０００８】
そのため、冗長構成の装置の電源を効率的に制御できる通信システム、冗長通信装置、及び通信制御方法が望まれている。
【課題を解決するための手段】
【０００９】
第１の本発明は、運用系通信装置及び待機系通信装置を少なくとも１つずつ有する冗長通信装置と、前記冗長通信装置とネットワークを介して接続される管理装置とを備える通信システムにおいて、前記管理装置は、（１）前記運用系通信装置及び待機系通信装置の各々に対して、前記運用系通信装置若しくは前記待機系通信装置の電源を制御するための第１の電源制御パケット並びに前記運用系通信装置及び待機系通信装置の両方の電源を制御するための第２の電源制御パケットを送信可能であり、前記第１の電源制御パケット又は前記第２の電源制御パケットのいずれかの電源制御パケットを送信する電源制御パケット送信部を有し、前記運用系通信装置及び待機系通信装置の各々は、（２−１）前記電源制御パケットを受信する電源制御パケット受信部と、（２−２）前記電源制御パケットを解析する電源制御パケット解析部と、（２−３）前記電源制御パケット解析部により解析された前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御する電源制御部とを有することを特徴とする。
【００１０】
第２の本発明は、運用系通信装置及び待機系通信装置を少なくとも１つずつ有する冗長通信装置において、前記運用系通信装置及び待機系通信装置の各々は、（１）前記運用系通信装置若しくは前記待機系通信装置の電源を制御するための第１の電源制御パケット並びに前記運用系通信装置及び待機系通信装置の両方の電源を制御するための第２の電源制御パケットを受信可能であり、外部装置から送信された前記第１の電源制御パケット又は前記第２の電源制御パケットのいずれかの電源制御パケットを受信する電源制御パケット受信部と、（２）前記電源制御パケットを解析する電源制御パケット解析部と、（３）前記電源制御パケット解析部により解析された前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御する電源制御部とを有することを特徴とする。
【００１１】
第３の本発明は、運用系通信装置及び待機系通信装置を少なくとも１つずつ有する冗長通信装置と、前記冗長通信装置とネットワークを介して接続される管理装置とを制御する通信制御方法において、（１）前記管理装置の電源制御パケット送信部は、前記運用系通信装置及び待機系通信装置の各々に対して、前記運用系通信装置若しくは前記待機系通信装置の電源を制御するための第１の電源制御パケット並びに前記運用系通信装置及び待機系通信装置の両方の電源を制御するための第２の電源制御パケットを送信可能であり、前記第１の電源制御パケット又は前記第２の電源制御パケットのいずれかの電源制御パケットを送信し、前記運用系通信装置及び待機系通信装置の各々の、（２）電源制御パケット受信部は、前記電源制御パケットを受信し、（３）電源制御パケット解析部は、前記電源制御パケットを解析し、（４）電源制御部は、記電源制御パケット解析部により解析された前記電源制御パケットが、前記第１の電源制御パケットだった場合には、前記運用系通信装置若しくは前記待機系通信装置の電源を制御し、一方、前記第２の電源制御パケットだった場合には、前記運用系通信装置及び待機系通信装置の両方の電源を制御することを特徴とする。
【発明の効果】
【００１２】
本発明によれば、冗長構成の装置の電源を効率的に制御できる。
【図面の簡単な説明】
【００１３】
【図１】実施形態に係るＩＰ交換装置の機能的構成、及びその周辺の接続構成（通信システム）について示したブロック図である。
【図２】実施形態に係る電源制御パケット判定テーブルの構造を示す説明図である。
【図３】実施形態に係るＩＰ交換装置及びＥＭＳの動作について示したシーケンス図（その１）である。
【図４】実施形態に係るＩＰ交換装置及びＥＭＳの動作について示したシーケンス図（その２）である。
【図５】実施形態に係るＩＰ交換装置及びＥＭＳの動作について示したシーケンス図（その３）である。
【図６】実施形態に係るＩＰ交換装置及びＥＭＳの動作について示したシーケンス図（その４）である。
【発明を実施するための形態】
【００１４】
（Ａ）主たる実施形態
以下、本発明による通信システム、冗長通信装置、及び通信制御方法の実施形態を、図面を参照しながら詳述する。ここで、実施形態の冗長通信装置は、冗長構成をなしている２つのＩＰ交換機を備えるＩＰ交換装置である。また、実施形態の通信システムは、ＩＰ交換装置と当該ＩＰ交換装置を管理する管理装置とを含むシステムである。
【００１５】
（Ａ−１）実施形態の構成
図１は、この実施形態のＩＰ交換装置１の機能的構成、及びその周辺の接続構成（通信システム）について示したブロック図である。
【００１６】
図１に示すように、ＩＰ交換装置１は、２台のＩＰ交換機１０（１０−１、１０−２を備えており、この２台のＩＰ交換機１０−１、１０−２により冗長構成が組まれている。以下では、ＩＰ交換機１０−１を「第１のＩＰ交換機」、ＩＰ交換機１０−２を「第２のＩＰ交換機」とも呼ぶものとする。ＩＰ交換装置１では、ＩＰ交換機１０−１、１０−２のいずれか一方がＡＣＴ系（運用系）として動作し、他方がＳＢＹ系（待機系）として動作するアクティブ・スタンバイの冗長構成が採用されているものとする。なお、ＩＰ交換装置１を構成するＩＰ交換機１０の数は限定されないものであるが、少なくとも１台のＡＣＴ系（運用系）と１台のＳＢＹ系（待機系）（計２台）で構成されるものとして説明する。
【００１７】
ＩＰ交換機１０−１、１０−２は、それぞれ、加入者線３０（例えば、ツイストペアケーブル等の線路）及びメタルＵＮＩ（Ｕｓｅｒ  Ｎｅｔｗｏｒｋ  Ｉｎｔｅｒｆａｃｅ）４０を介して加入者端末５０に接続（収容）し、電話サービス等を提供している。ＩＰ交換装置１では、ＩＰ交換機１０−１、１０−２のいずれか一方が故障等により停止した場合でも、加入者端末５０にサービス提供を継続することができる。
【００１８】
また、ＩＰ交換機１０−１、１０−２は、それぞれＩＰネットワーク７０を経由してＥＭＳ６０と通信可能な構成となっている。ＥＭＳ６０は、ＩＰ交換機１０−１、１０−２に対する管理に係る処理（遠隔電源制御の処理を含む）を実行する端末である。
【００１９】
次に、ＩＰ交換機１０−１、１０−２の内部構成について説明する。この実施形態では、ＩＰ交換機１０−１、１０−２のハードウェア構成は同一であるものとして説明する。
【００２０】
各ＩＰ交換機１０（１０−１、１０−２）は、制御部１５（１５−１、１５−２）、電源部１６（１６−１、１６−２）及びネットワークインタフェース（ＮＷＩＦ）部２０（２０−１、２０−２）を有する。
【００２１】
制御部１５は、当該ＩＰ交換機１０の全体を制御する機能を担っている。例えば、制御部１５は、ＮＷＩＦ部２０に対する制御や、他方のＩＰ交換機１０との連携（ＡＣＴ系とＳＢＹ系の切り替え）する処理等を行うものである。制御部１５は、一部又は全部の機能について、ソフトウェア的に構成されている。
【００２２】
ＮＷＩＦ部２０は、外部のＩＰネットワーク７０と通信するインタフェースであると共に、制御部１５に電源を供給する電源部１６を制御する機能を有する。ＮＷＩＦ部２０は、外部パケットＩＦ部２１、特殊パケット解析部２２、電源制御部２３、及び内部パケットＩＦ部２４を有する。
【００２３】
外部パケットＩＦ部２１は、外部のＩＰネットワーク７０と接続するためのネットワークインタフェースの機能を担っている。また、外部パケットＩＦ部２１は、自身宛てのＩＰパケットだけでなく、他方のＩＰ交換機宛てのＩＰパケットも受信する。そして、外部パケットＩＦ部２１は、受信したＩＰパケットを特殊パケット解析部２２に送付する。また、外部パケットＩＦ部２１は、加入者線３０と接続するインタフェースを有する（図１では、便宜上、加入者線３０は外部パケットＩＦ部２１と直接接続するように図示していないが、実際には接続している）。
【００２４】
特殊パケット解析部２２は、受信したＩＰパケットがＥＭＳ６０から送信された電源制御用の特殊パケットか否か判定する。そして、特殊パケット解析部２２は、電源制御用の特殊パケットと判定した場合には、電源制御部２３に当該パケットを送付する。一方、特殊パケット解析部２２は、電源制御用の特殊パケット以外のパケットであると判定した場合には、内部パケットＩＦ部２４に当該パケットを送付する。
【００２５】
電源制御部２３は、電源制御用の特殊パケットの内容に応じて、各制御部１５（１５−１、１５−２）に電源を供給する電源部１６（１６−１、１６−２）を制御する。
【００２６】
内部パケットＩＦ部２４は、内部の各制御部１５（１５−１、１５−２）と直接通信するインタフェースである。例えば、内部パケットＩＦ部２４は、受信したＩＰパケットの宛先に応じて、各制御部１５（１５−１、１５−２）に、ＩＰパケットを振り分ける機能を有する。
【００２７】
電源部１６は、制御部１５とＮＷＩＦ部２０とに電源を供給する。例えば、電源部１６は、制御部１５に供給する電源について、ＥＭＳ６０からの遠隔電源制御に基づき電源のＯＮ／ＯＦＦの切り替えができる。
【００２８】
次に、ＥＭＳ６０から第１のＩＰ交換機１０−１、及び第２のＩＰ交換機１０−２、の電源を遠隔制御する具体例について説明する。
【００２９】
まず、ＥＭＳ６０は、第１のＩＰ交換機１０−１及び第２のＩＰ交換機１０−２に対して、定期的に、生存を確認するメッセージ（例えば、ｐｉｎｇ、ｓｎｍｐｇｅｔ等）を送信する。そして、ＥＭＳ６０は、生存確認メッセージに対する応答メッセージを受信することにより、監視対象の第１のＩＰ交換機１０−１及び第２のＩＰ交換機１０−２の生存を確認する。ここで、ＥＭＳ６０は、例えば、所定回数の生存確認メッセージに対して、一定時間、応答メッセージが返信されない場合には、第１のＩＰ交換機１０−１又は第２のＩＰ交換機１０−２（又はその両方）に何らかの異常（例えば、ソフトウェアの異常）を生じたと察知する。通常、ＩＰ交換機は、何らかの異常を検知した場合には、リセット（初期状態に戻す）することにより、自律的に復旧する処理が行われる。しかしながら、例えば、ソフトウェアのバグ等によりＣＰＵが常時１００％の状態（いわゆるフリーズ状態）となってしまった場合には、リセット処理が行われずＩＰ交換機１０が自律的に復旧できない可能性もある。この状態では、ＩＰ交換機は、電源を一旦ＯＦＦにした後に、再度ＯＮすることにより、復旧することもある。
【００３０】
この実施形態のＩＰ交換機１０は、制御部１５とＮＷＩＦ部２０とは完全に切り離されており、例えば、制御部１５に異常が発生し、制御不能となったとしても、ＮＷＩＦ部２０の動作に影響を与えるものではない（ＮＷＩＦ部２０は、ＥＭＳ６０からのパケットを受信する等動作を継続することができる）。つまり、ＮＷＩＦ部２０は、ＥＭＳ６０から電源制御用の特殊パケットを受信し、制御部１５（１５−１、１５−２）に電源を供給する電源部１６（１６−１、１６−２）のＯＦＦ／ＯＮを実行することができる。以上により、ＩＰ交換機１０は、ＥＭＳ６０からの遠隔電源制御により、ＩＰ交換機１０の復旧を試みることが可能となる。
【００３１】
次に、ＥＭＳ６０の遠隔電源制御に関する具体的処理について述べる。
【００３２】
ＥＭＳ６０は、先述の生存確認メッセージに対して応答の無かった第１のＩＰ交換機１０−１又は第２のＩＰ交換機１０−２（又はその両方）に対して、制御部１５の電源をＯＦＦにする電源制御用の特殊パケットを所定回数連続してＮ個送信する（例えば、１００ｍｓで２０回）。なお、ＥＭＳ６０は、この送信回数の設定や、制御する電源の設定については、この設定を支援する専用のツール（ソフトウェア）を用いても良い。また、変形例として、ＥＭＳ６０は、電源制御用の特殊パケットを１個だけ送信しても良い。続いて、ＥＭＳ６０は、上記同様に電源をＯＮにする電源制御用の特殊パケットを送信する。
【００３３】
次に、ＮＷＩＦ部２０内の遠隔電源制御に関する具体的処理について述べる。
【００３４】
外部パケットＩＦ部２１は、ＩＰネットワーク７０を介してＥＭＳ６０から受信したＩＰパケットを特殊パケット解析部２２に送付する。特殊パケット解析部２２は、受信したＩＰパケットが電源制御用の特殊パケットであるか否か判定を行う。なお、特殊パケット解析部２２は、電源制御用の特殊パケットであるか、それ以外のパケットであるかを判定するには、種々様々な手法を用いることができるが、この実施形態では、例えば、電源制御パケット判定テーブルＴを用いて判定する。
【００３５】
図２は、実施形態に係る電源制御パケット判定テーブルの構造を示す説明図である。電源制御パケット判定テーブルＴは、各データを識別する番号である「ＮＯ」、制御する電源の設定を示す「特殊パケット機能」、パケットの種別（ＴＣＰかＵＤＰか等）を示す「パケット種別」、自身のＩＰアドレスを示す「ＩＰアドレス」、電源制御の処理に使用するＵＤＰのポート番号を示す「ポート番号」、及びパケットデータ本体部のデータサイズを示す「データサイズ」、パケットデータ本体部のデータを示す「データ値」を有する。
【００３６】
例えば、特殊パケット解析部２２は、電源制御パケット判定テーブルＴを参照して、受信ＩＰパケットが「パケット種別」の項目に記載されたパケット（ＵＤＰ）か否か確認する。以下同様に、特殊パケット解析部２２は、受信ＩＰパケットの宛先のＩＰアドレスが「ＩＰアドレス」に記載された自身のＩＰアドレスと一致するか否か確認する。次に、特殊パケット解析部２２は、受信ＩＰパケットの宛先のポート番号が「ポート番号」の項目に記載されたポート番号と一致するか否か判定する。なお、図２の「ポート番号」に設定された値（６５５００）は、例示であって、いわゆるウェルノウンポート番号以外の、未定義のポート番号であれば、ＩＰ交換装置１とＥＭＳ６０は、この値以外のポート番号を使用しても良い。次に、特殊パケット解析部２２は、受信パケットのデータ本体部のサイズが「データサイズ」の項目に記載された値（図２では４ｂｙｔｅ）と一致するか否か確認する。次に、特殊パケット解析部２２は、受信パケットのデータ本体部のデータ値が「データ値」の項目に記載された値（図２では６種類）と一致するか否か確認する。そして、特殊パケット解析部２２は、上述の比較が全て一致する場合（ＮＯ１〜６のいずれかのデータに該当する場合）には、受信したＩＰパケットは電源制御用の特殊パケットと判定して、当該パケットを電源制御部２３に振り分ける。一方、特殊パケット解析部２２は、上述の比較が全て一致する場合以外、つまり、上述の比較が一つでも一致しない場合には、受信したＩＰパケットは通常のパケットと判定して、当該パケットを内部パケットＩＦ部２４に振り分ける。
【００３７】
なお、ＥＭＳ６０は、一定時間内に連続して複数個（Ｎ個）の電源制御用の特殊パケットを連続して送信するために、特殊パケット解析部２２は、連続して同一内容の特殊パケットを解析することになる。そこで、特殊パケット解析部２２は、より確実にＥＭＳ６０からの遠隔電源制御と判定するために、同一内容の電源制御用の特殊パケットを所定時間内に連続してＭ個（ＭはＮ以下の値）受信した場合のみ、電源制御部２３に当該特殊パケットを振り分けても良い。
【００３８】
電源制御部２３は、電源制御用の特殊パケットの内容（図２の特殊パケット機能）に応じて、制御部１５に電源を供給する電源部１６を制御する。例えば、第１のＩＰ交換機１０−１の電源制御部２３−１は、特殊パケット解析部２２−１から、パケット本体部のデータが（０ｘ１１２２０２００）のＵＤＰパケットを受信した場合には、電源制御パケット判定テーブルＴ（図２）に従い、第１のＩＰ交換機１０−１の制御部１５−１に電源を供給する電源部１６−１、及び第２のＩＰ交換機１０−２の制御部１５−２に電源を供給する電源部１６−２をＯＦＦにする制御を行う。
【００３９】
（Ａ−２）実施形態の動作
次に、以上のような構成を有するこの実施形態のＩＰ交換装置１及びＥＭＳ６０の動作について図３〜図６を用いて説明する。
【００４０】
図３〜図６は、ＩＰ交換装置１及びＥＭＳ６０の動作（遠隔電源制御）について示したシーケンス図である。
【００４１】
まず、ここでは初期状態として、図３に示すように、第１のＩＰ交換機１０−１（制御部１５−１）がＡＣＴ系（運用系）として動作し、第２のＩＰ交換機１０−２（制御部１５−２）がＳＢＹ系（待機系）として動作しているものとする。以下、図３のシーケンス図から順次説明を行う。
【００４２】
ＥＭＳ６０は、第１のＩＰ交換機１０−１（制御部１５−１）及び第２のＩＰ交換機１０−２（制御部１５−２）に対して、生存を確認するメッセージ（例えば、ｐｉｎｇ、ｓｎｍｐｇｅｔ等）を送信する（Ｓ１０１、Ｓ１０３）。
【００４３】
第１のＩＰ交換機１０−１（制御部１５−１）及び第２のＩＰ交換機１０−２（制御部１５−２）は、ソフトウェアが停止状態のために、生存確認メッセージに対する応答を返信できない（Ｓ１０２、Ｓ１０４）。
【００４４】
ＥＭＳ６０は、第１のＩＰ交換機１０−１（制御部１５−１）及び第２のＩＰ交換機１０−２（制御部１５−２）から返答がないために、障害が起きたと察知し、両交換機の制御部１５（１５−１、１５−２）の電源をＯＦＦにするＩＰパケットを第１のＩＰ交換機１０−１に送信する（Ｓ１０５）。なお、ＥＭＳ６０は、この電源制御用の特殊パケットを、専用ツールにより一定時間内に連続してＮ個以上送信する。
【００４５】
第１のＩＰ交換機１０−１（ＮＷＩＦ部２０−１）は、受信したＩＰパケットを、先述の電源制御パケット判定テーブルＴに従い、電源制御用の特殊パケットであるか否か判定する（Ｓ１０６、Ｓ１０７）。そして、ＮＷＩＦ部２０−１は、電源制御用の特殊パケットである場合には、当該パケットを一定時間内にＭ（Ｍは、Ｎ以下の数）個受信したら、該当する電源のＯＦＦ／ＯＮの制御を行う。なお、この例では、電源制御用の特殊パケットは、電源制御パケット判定テーブルＴ（図２）のＮＯ５のデータに該当するパケットであるため、ＮＷＩＦ部２０−１は、制御部１５−１及び制御部１５−２に電源を供給する電源部１６−１及び電源部１６−２の電源をＯＦＦにする制御を行う。
【００４６】
続いて、ＥＭＳ６０は、第１のＩＰ交換機１０−１の制御部１５−１及び第２のＩＰ交換機１０−２の制御部１５−２の電源をＯＮにする電源制御用の特殊パケットを第１のＩＰ交換機１０−１に送信する（Ｓ１０８）。
【００４７】
第１のＩＰ交換機１０−１（ＮＷＩＦ部２０−１）は、先述のステップＳ１０６、Ｓ１０７と同様に、受信したＩＰパケットの判定を行い、その内容に応じて電源の制御を行う（Ｓ１０９、１１０）。なお、この例では、ＮＷＩＦ部２０−１は、制御部１５−１及び制御部１５−２に電源を供給する電源部１６−１及び電源部１６−２の電源をＯＮにする制御を行う。
【００４８】
以上により、第１のＩＰ交換機１０−１はＡＣＴ系として、第２のＩＰ交換機１０−２はＳＢＹ系として、復旧することになる。
【００４９】
続いて、図４のシーケンス図の説明を行う。図４では、第２のＩＰ交換機１０−２（制御部１５−２）がＡＣＴ系（運用系）として動作しているものとする。また、ＳＢＹ系（待機系）の第１のＩＰ交換機１０−１（制御部１５−１）は、ソフトウェアの障害により制御不能に陥っているものとする。
【００５０】
第２のＩＰ交換機１０−２（制御部１５−２）は、ウォッチドッグタイマ（図示せず）等により第１のＩＰ交換機１０−１の故障を検出すると、第１のＩＰ交換機１０−１（制御部１５−１）に対して、リセットを行うよう指示する（Ｓ２０１）。なお、第１のＩＰ交換機１０−１（制御部１５−１）は、リセットしても、この時点では復旧しなかったものとする。
【００５１】
ＥＭＳ６０は、先述のステップＳ１０１、Ｓ１０２と同様に、第１のＩＰ交換機１０−１（制御部１５−１）及び第２のＩＰ交換機１０−２（制御部１５−２）に対して、生存確認メッセージを送信する（Ｓ２０２、Ｓ２０４）。
【００５２】
第１のＩＰ交換機１０−１（制御部１５−１）は、ソフトウェアが停止状態のために、生存確認メッセージに対する応答を返信できない（Ｓ２０３）。一方、第２のＩＰ交換機１０−２（制御部１５−２）は、ソフトウェアが正常に動作しているために、生存確認メッセージに対する応答を返信する（Ｓ２０５）。
【００５３】
ＥＭＳ６０は、先述のステップＳ１０５と同様に、第１のＩＰ交換機１０−１（制御部１５−１）から返答がないために、障害が起きたと察知し、第１のＩＰ交換機１０−１の制御部１５−１の電源をＯＦＦにする電源制御用の特殊パケットを第２のＩＰ交換機１０−２に送信する（Ｓ２０６）。
【００５４】
第２のＩＰ交換機１０−２（ＮＷＩＦ部２０−２）は、先述のステップＳ１０６、Ｓ１０７と同様に、受信したＩＰパケットが、電源制御用の特殊パケットであるか否か判定する（Ｓ２０７）。そして、ＮＷＩＦ部２０−２は、電源制御用の特殊パケットが、電源制御パケット判定テーブルＴ（図２）のＮＯ１のデータに該当するパケットであるため、制御部１５−１に電源を供給する電源部１６−１の電源をＯＦＦにする制御を行う。
【００５５】
続いて、ＥＭＳ６０は、第１のＩＰ交換機１０−１の制御部１５−１の電源をＯＮにする電源制御用の特殊パケットを第２のＩＰ交換機１０−２に送信する（Ｓ２０８）。
【００５６】
第２のＩＰ交換機１０−２（ＮＷＩＦ部２０−２）は、先述のステップＳ２０７と同様に、受信したＩＰパケットの判定を行い、その内容に応じて電源の制御を行う（Ｓ２０９）。なお、この例では、ＮＷＩＦ部２０−２は、制御部１５−１に電源を供給する電源部１６−１の電源をＯＮにする制御を行う。
【００５７】
以上により、第１のＩＰ交換機１０−１はＳＢＹ系として、復旧することになる。
【００５８】
次に、図５のシーケンス図の説明を行う。図５では、当初、第１のＩＰ交換機１０−１（制御部１５−１）がＡＣＴ系（運用系）として、第２のＩＰ交換機１０−２（制御部１５−２）がＳＢＹ系（待機系）として、動作していた。しかし、第１のＩＰ交換機１０−１（制御部１５−１）にソフトウェア障害が発生したために、第２のＩＰ交換機１０−２（制御部１５−２）がＡＣＴ系として、切り替わった。このような状態において、第１のＩＰ交換機１０−１がリセットにより、復旧しなかったとしても、図４と同様に、第１のＩＰ交換機１０−１（制御部１５−１）の電源をＯＦＦ／ＯＮすることにより、第１のＩＰ交換機１０−１は復旧することができる。なお、図５のスッテプＳ２０１以下の処理は、図４と同様であるので、その説明を省略する。
【００５９】
次に、図６のシーケンス図の説明を行う。図６では、当初、図５と同様に第１のＩＰ交換機１０−１（制御部１５−１）がＡＣＴ系（運用系）として、第２のＩＰ交換機１０−２（制御部１５−２）がＳＢＹ系（待機系）として、動作していた。しかし、第１のＩＰ交換機１０−１（制御部１５−１）にソフトウェア障害が発生したが、第２のＩＰ交換機１０−２（制御部１５−２）は、何らかの原因で故障を検知できず、ＳＢＹ系のままである。また、第２のＩＰ交換機１０−２（制御部１５−２）は、第１のＩＰ交換機１０−１（制御部１５−１）の故障を検知できないため、図５と異なり、第１のＩＰ交換機１０−１に対してリセット指示を行うことができない。
【００６０】
ＥＭＳ６０は、先述のステップＳ１０１、Ｓ１０２と同様に、第１のＩＰ交換機１０−１（制御部１５−１）及び第２のＩＰ交換機１０−２（制御部１５−２）に対して、生存確認メッセージを送信する（Ｓ３０１、Ｓ３０３）。
【００６１】
第１のＩＰ交換機１０−１（制御部１５−１）は、ソフトウェアが停止状態のために、生存確認メッセージに対する応答を返信できない（Ｓ３０２）。一方、第２のＩＰ交換機１０−２（制御部１５−２）は、ソフトウェアが正常に動作しているために、生存確認メッセージに対する応答を返信する（Ｓ３０４）。
【００６２】
ＥＭＳ６０は、先述のステップＳ１０５と同様に、第１のＩＰ交換機１０−１（制御部１５−１）から返答がないために、障害が起きたと察知し、第１のＩＰ交換機１０−１の制御部１５−１の電源をＯＦＦにする電源制御用の特殊パケットを第１のＩＰ交換機１０−１に送信する（Ｓ３０５）。
【００６３】
第１のＩＰ交換機１０−１（ＮＷＩＦ部２０−１）は、先述のステップＳ１０６、Ｓ１０７と同様に、受信したＩＰパケットが、電源制御用の特殊パケットであるか否か判定する（Ｓ３０６）。そして、ＮＷＩＦ部２０−１は、電源制御用の特殊パケットが、電源制御パケット判定テーブルＴ（図２）のＮＯ１のデータに該当するパケットであるため、制御部１５−１に電源を供給する電源部１６−１の電源をＯＦＦにする制御を行う。
【００６４】
続いて、ＥＭＳ６０は、第１のＩＰ交換機１０−１の制御部１５−１の電源をＯＮにする電源制御用の特殊パケットを第１のＩＰ交換機１０−１に送信する（Ｓ３０７）。
【００６５】
第２のＩＰ交換機１０−２（ＮＷＩＦ部２０−２）は、先述のステップＳ３０６と同様に、受信したＩＰパケットの判定を行い、その内容に応じて電源の制御を行う（Ｓ３０８）。なお、この例では、ＮＷＩＦ部２０−１は、制御部１５−１に電源を供給する電源部１６−１の電源をＯＮにする制御を行う。
【００６６】
以上により、第１のＩＰ交換機１０−１はＡＣＴ系として、復旧することになる。
【００６７】
（Ａ−３）実施形態の効果
この実施形態によれば、以下のような効果を奏することができる。
【００６８】
ＩＰ交換装置１では、ＩＰ交換機１０内の制御部１５と、ＮＷＩＦ部２０とを完全に切り分けて構成したために、仮に制御部１５が制御不能となったとしても、ＥＭＳ６０から遠隔的にＮＷＩＦ部２０を介して、制御部１５の電源を効率的に制御（ＯＦＦ／ＯＮ）することができる（制御部１５を復旧できる）。
【００６９】
また、ＩＰ交換装置１は、第１のＩＰ交換機１０−１と第２のＩＰ交換機１０−２とを有している（冗長構成）。そして、ＩＰ交換装置１は、仮に第１のＩＰ交換機１０−１の制御部１５−１が制御不能となったとしても、第１のＩＰ交換機１０−１のＮＷＩＦ部２０−１だけではなく、第２のＩＰ交換機１０−２のＮＷＩＦ部２０−２を介して、第１のＩＰ交換機１０−１（制御部１５−１）の電源をＯＦＦ／ＯＮすることもできる（他方のＩＰ交換機を介しての復旧）。また、第１、２のＩＰ交換機のいずれかのＮＷＩＦ部２０を介して、両交換機の制御部１５の電源制御を同時に行うこともできる。
【００７０】
なお、この実施形態のＩＰ交換装置１とＥＭＳ６０は、障害が起きた場合のみに、電源制御を行うのではなく、例えば、電力不足により冗長構成を取ることができない場合に、ＳＢＹ系のＩＰ交換機１０の電源をＥＭＳ６０からの遠隔制御により電源ＯＦＦにする等様々な場合（用途）において用いることができる。
【００７１】
（Ｂ）他の実施形態
本発明は、上記の実施形態に限定されるものではなく、以下に例示するような変形実施形態も挙げることができる。
【００７２】
（Ｂ−１）上記の実施形態では、本発明の冗長系通信装置をＩＰ通信装置（複数のＩＰ交換機を有する装置）に適用する例について説明したが、管理装置により制御可能な冗長構成の通信装置であれば、この例に限定されない。
【００７３】
（Ｂ−２）上記の実施形態では、ＩＰ交換機１０の制御部１５及びＮＷＩＦ部２０に供給する電源を単一の電源部１６としていた。変形例として、ＩＰ交換機１０は、制御部１５とＮＷＩＦ部２０とに供給する電源を別々としても良い（例えば、図１のＩＰ交換装置１では、制御部１５−１、１５−２とＮＷＩＦ部２０−１、２０−２に対応する電源として４台の電源部１６が必要となる）。
【００７４】
（Ｂ−３）上記の実施形態では、ＥＭＳ６０から電源制御する対象は、制御部１５に電源を供給する電源部１６だけだった。変形例として、ＮＷＩＦ部２０に電源を供給する電源部１６もＥＭＳ６０から遠隔電源制御しても良い。例えば、電源制御パケット判定テーブルＴにＮＷＩＦ部２０への電源制御を示すデータを新たに追加し、ＮＷＩＦ部２０は、ＥＭＳから受信したパケットを電源制御パケット判定テーブルＴに従い判定し、その内容に応じてＮＷＩＦ部２０への電源を制御する。
【符号の説明】
【００７５】
１…ＩＰ交換装置、１０（１０−１、１０−２）…ＩＰ交換機、１５（１５−１、１５−２）…制御部、１６（１６−１、１６−２）…電源部、２０（２０−１、２０−２）…ＮＷＩＦ部、２１（２１−１、２１−２）…外部パケットＩＦ部、２２（２２−１、２２−２）…特殊パケット解析部、２３（２３−１、２３−２）…電源制御部、２４…内部パケットＩＦ部、３０…加入者線、５０…加入者端末、６０…ＥＭＳ、７０…ＩＰネットワーク、Ｔ…電源制御パケット判定テーブル。
【図１】
0006651833.tif 000002
【図２】
0006651833.tif 000003
【図３】
0006651833.tif 000004
【図４】
0006651833.tif 000005
【図５】
0006651833.tif 000006
【図６】
0006651833.tif 000007